(57)【要約】【課題】極めて簡単且つ短時間で衣類を袋にいれて掛け吊るすことができるようにする。【解決手段】掛け止め部１１と、この掛け止め部の下端に設けられた挟持部１２とを備えた挟持掛け止め体１０と、被把持部４１と、この被把持部から両側に設けられた肩支持部４２とを備えた衣類支持体４０とから成り、衣類支持体４０の肩支持部を衣類の両肩の内側にいれた状態で衣類を袋体５０内に収容し、挟持掛け止め体１０の挟持部１２によって袋体の外側から衣類支持体４０の被把持部４１を挟持した状態で挟持掛け止め体１０の掛け止め部１１によって掛け止めるようにする。【選択図】        図１
2004351079.tif 000002
【特許請求の範囲】
【請求項１】
掛け止め部と、この掛け止め部の下端に設けられた挟持部とを備えた挟持掛け止め体と、
被把持部と、この被把持部から両側に設けられた肩支持部とを備えた衣類支持体とから成り、
前記衣類支持体の肩支持部を衣類の両肩の内側にいれた状態で衣類を袋体内に収容し、前記挟持掛け止め体の挟持部によって前記袋体の外側から前記衣類支持体の被把持部を挟持した状態で前記挟持掛け止め体の掛け止め部によって掛け止めるようにしたことを特徴とする衣類吊り下げ装置。
【発明の詳細な説明】
【０００１】
【発明の属する技術分野】
本発明は衣類を吊り下げるための装置に関する。
【０００２】
【従来の技術】
従来、クリーニング店、あるいは自宅などで背広、コート、その他種々の衣類をビニールなどから成る袋体にいれて吊り下げ保管する場合、次のように行なっている。
【０００３】
まず、図６に示すように、フック部１と肩掛け部２、２から成るハンガー３を用いて、衣類４を肩掛け部２、２にかけて、ビニール袋などから成る袋体５の下端の衣類出し入れ口６から、衣類４を内側にいれる。
【０００４】
次に、図７に示すように、袋体５の上端中央のフック出し入れ口７からハンガーのフック部１を外側へ引き出す。
このような状態にして、フック部１を水平棒などにかけて吊り下げている。
【０００５】
【発明が解決しようとする課題】
しかしながら、このような従来の方法では、袋体５の上端中央のフック出し入れ口７からハンガー３のフック部１を引き出さなければならないため面倒であった。
【０００６】
また、袋体５の上端中央のフック出し入れ口７から外部の埃などが袋体５の内部に侵入し、衣類４が長期保管中に汚れやすくなっていた。
【０００７】
また、衣類４が長期保管中に汚れないように袋体５を密封しようとするには、袋体５の下端の衣類出し入れ口６を密封する他に、袋体５の上端のフック出し入れ口７も密封しなければならないが、このフック出し入れ口７にはフック部１が通っているため、密封するのが困難であった。
【０００８】
本発明はこれらの問題を解決した衣類吊り下げ装置を提供することを目的としている。
【０００９】
【課題を解決するための手段】
前記目的を達成するために、本発明の衣類吊り下げ装置は、
掛け止め部と、この掛け止め部の下端に設けられた挟持部とを備えた挟持掛け止め体と、
被把持部と、この被把持部から両側に設けられた肩支持部とを備えた衣類支持体とから成り、
前記衣類支持体の肩支持部を衣類の両肩の内側にいれた状態で衣類を袋体内に収容し、前記挟持掛け止め体の挟持部によって前記袋体の外側から前記衣類支持体の被把持部を挟持した状態で前記挟持掛け止め体の掛け止め部によって掛け止めるようにしている。
【００１０】
このようにしたため、袋体の上端中央のフック出し入れ口からハンガーのフック部を引き出す面倒がなくなる。
また、袋体の上端中央にフック出し入れ口を設けなくてよいので、外部の埃などが袋体内部に侵入せず、衣類が長期保管中に汚れることがなくなる。
【００１１】
また、衣類が長期保管中に汚れないように袋体を密封しようとするには、袋体の下端の衣類出し入れ口を密封するだけでよく、袋体の上端のフック出し入れ口がないので、密封が容易となり、密封後に袋体の外側から挟持するだけでよいから保管作業が著しく容易になる。
【００１２】
【発明の実施の形態】
以下、本発明の実施の形態を説明する。
図１〜５は本発明の一実施形態を示している。
図１、図４、図５に示すように、挟持掛け止め体１０は、掛け止め部１１と挟持部１２を備えている。
【００１３】
掛け止め部１１は図１に示すようにフック型でもよいが、掛け止め穴を備えたもの（図示せず）でもよい。
掛け止め部１１の下端に挟持部１２が取付けられている。
挟持部１２は一対の挟持体１３、１３で構成されている。
【００１４】
一対の挟持体１３、１３は基部１３ａ、１３ａにおいて例えば掛け止め部１１の下端の水平方向の軸１４に回動自在に連結され、基部１３ａ、１３ａの下方に挟持片１５、１５を備えている。
【００１５】
なお、挟持によって袋体５を痛めないように、対向する２つの挟持片１５、１５の内面には柔軟性のゴムなどの材質から成るほぼ矩形板状の保護材２０を取付けることが望ましい。
【００１６】
挟持させる機構として、例えばカム体を用いてもよい。即ち、図４、図５に示すように、掛け止め部１１の下部の垂直棒部１１ａには挟持部１２、１２の基部１３ａ、１３ａより上側の対向部材２１、２１の間に位置するようにカム体３０が回動自在に取付けられている。
【００１７】
カム体３０は９０°異なると中心の軸１４からの半径が大きく異なっている。
このため、カム体３０を半径の小さい位置（図４に示す）から筒部３１（カム体３０と一体的に構成されている。）を指で操作して図５に示すように９０°回転させると、一対の対向部材２１、２１間がカム体３０で押し拡げられて、一対の挟持体１３、１３は基部１３ａ、１３ａの軸１４を中心に回動して一対の挟持片１５、１５間が接近して物体を挟持できる。
【００１８】
なお、一対の挟持体１３、１３の一対の対向部材２１、２１の内側に軸部１４に装着したコイルスプリング（図示せず）の両端を押圧させて、常時はこのコイルスプリングの付勢力で一対の挟持片１５、１５間を閉じさせておき、一対の対向部材２１、２１を手で互いに接近するように操作して一対の挟持片１５、１５間を開くようにしてもよい。
【００１９】
図２、図３には背広、コート、その他種々の衣類４を掛けるための衣類支持体４０を示している。
この衣類支持体４０は中央の板状の被把持部４１から左右に衣類の両肩部を内側から支持する肩支持部４２、４２が延設されている。被把持部４１は肩支持部４２、４２より上方へ突出している。
【００２０】
従って、衣類４をビニールなどから成る袋体５０にいれて吊り下げ支持するには、次のように行う。
まず、図２に示すように、衣類４の左右の肩部の内側に衣類支持体４０の左右の肩支持部４２、４２をいれる。
【００２１】
次に図３に示すように、袋体５０（上端には開口部は存在しない）の下端の衣類出し入れ口５１から、衣類４を内側に収容する。
次に、図４に示すように、挟持掛け止め体１０の一対の挟持片１５、１５を開いた状態で、袋体５０の上端中央の外側から保護材２０を被せて、図１、図５に示すようにカム体３０を９０°回転させて一対の挟持片１５、１５を互いに接近させて衣類支持体４０の中央の被把持部４１を挟持させる。
【００２２】
このように袋体５０の外側から被把持部４１を挟持した状態（図１）にして、挟持掛け止め体１０のフック部１１を水平棒や釘（図示せず）などに掛けて吊り下げる。
従って、例えば衣類４を袋体５０内に収容し、酸素吸収材を袋体５０内にいれて下端の衣類出し入れ口５１を熱溶着などの適宜手段で密封した後、図１のように袋体５０の外側から被把持部４１を挟持して吊り下げれば、衣類４の長期保管のための作業が容易となる。
【００２３】
【発明の効果】
本発明ではこのようにしたため、従来のように袋体の上端中央のフック出し入れ口からハンガーのフック部を引き出す面倒がなくなる。
【００２４】
また、袋体の上端中央にフック出し入れ口を設けなくてよいので、外部の埃などが袋体内部に侵入せず、衣類が長期保管中に汚れることがなくなる。
【００２５】
また、衣類が長期保管中に汚れないように袋体を密封しようとするには、袋体の下端の衣類出し入れ口を密封するだけでよく、袋体の上端のフック出し入れ口がないので、密封が容易となり、密封後に袋体の外側から挟持するだけでよいから保管作業が著しく容易になる。
【図面の簡単な説明】
【図１】本発明の一実施形態の使用方法を示す正面図
【図２】本発明の使用方法を示す説明図
【図３】本発明の使用方法を示す説明図
【図４】図１の実施形態の使用状態を示す側面図
【図５】図１の実施形態の使用状態を示す側面図
【図６】従来方法を示す説明図
【図７】従来方法を示す説明図
【符号の説明】
１０  挟持掛け止め体
１１  掛け止め部
１２  挟持部
１３  挟持体
１５  挟持片
４０  衣類支持体
４１  被把持部
５０  袋体
【図１】
2004351079.tif 000003
【図２】
2004351079.tif 000004
【図３】
2004351079.tif 000005
【図４】
2004351079.tif 000006
【図５】
2004351079.tif 000007
【図６】
2004351079.tif 000008
【図７】
2004351079.tif 000009